(57)【要約】  不正開放防止収容パッケージは、容器と、前記容器と係合するように構成されたカバーであって、前記容器および前記カバーが、囲まれた空間を形成する、カバーと、前記カバーおよび前記容器と協働する少なくとも１つの不正開放防止用メカニカルファスナであって、前記容器および前記カバーが、前記囲まれた空間を、前記不正開放防止収容パッケージを取り囲む周囲環境から隔離する密閉状態で係合したときに前記収容パッケージに不正開放防止機能を与える不正開放防止用メカニカルファスナとを備えるものとして説明される。このような収容パッケージは、収容パッケージの外部環境に放出されると、健康、安全、および／または環境リスクをもたらす化学薬品の保管および輸送に有用に用いられる。【選択図】図２
2019513646.tif 000002
【特許請求の範囲】
【請求項１】
容器と、
前記容器の部分と係合するように構成されたカバーであって、前記容器および前記カバーが、囲まれた空間を形成する、カバーと、
前記カバーを、前記カバーと係合する前記容器の前記部分と相互接続するように構成されたメカニカルファスナのアレイとを備える不正開放防止収容パッケージであって、
前記アレイが、
係合された前記容器および前記カバーを全体的にシールするシールメカニカルファスナを備える、前記メカニカルファスナの第１サブアレイと、
前記カバーを、前記カバーと係合する前記容器の前記部分と相互接続する不正開放防止用メカニカルファスナを備える、前記メカニカルファスナの第２サブアレイとを含み、前記不正開放防止用メカニカルファスナが、（ｉ）前記メカニカルファスナの前記第１サブアレイが無ければ、前記係合された容器および前記カバーを全体的にシールせず、（ｉｉ）不正開放防止特徴によって、前記係合された容器および前記カバーから前記カバーが不正に取り外される場合を除き、前記カバーが前記容器から外されることを防止する、不正開放防止収容パッケージ。
【請求項２】
前記メカニカルファスナの前記第２サブアレイが備える前記不正開放防止用メカニカルファスナが、（ｉ）前記メカニカルファスナの前記第１サブアレイの前記シールメカニカルファスナよりもサイズが小さいこと、（ｉｉ）前記シールメカニカルファスナを取り外すように適合されたメカニカルファスナ工具による取り外しが不能であること、（ｉｉｉ）前記メカニカルファスナの前記第１サブアレイの前記シールメカニカルファスナが上方に突出する表面の下方に、カバー内に沈んでいること、および（ｉｖ）前記メカニカルファスナの前記第１サブアレイの前記シールメカニカルファスナのロックトルクの１０〜６０％であるロックトルクによって特徴付けられることのうち、少なくとも１つを満たす、請求項１に記載の不正開放防止収容パッケージ。
【請求項３】
特徴（ｉ）〜（ｉｖ）のうち、少なくとも２つを含む、請求項２に記載の不正開放防止収容パッケージ。
【請求項４】
前記係合された容器および前記カバーの中間に、少なくとも１つのシール要素をさらに備える、請求項１に記載の不正開放防止収容パッケージ。
【請求項５】
前記少なくとも１つのシール要素がガスケットを含む、請求項４に記載の不正開放防止収容パッケージ。
【請求項６】
前記容器が、前記囲まれた空間内の固体材料に熱エネルギーを伝達するために加熱されるように構成されている、請求項１に記載の不正開放防止収容パッケージ。
【請求項７】
前記囲まれた空間内の前記固体材料に熱エネルギーを伝達するように適合されたヒータと組み合わされた、請求項６に記載の不正開放防止収容パッケージ。
【請求項８】
少なくとも１つの支持構造が、前記囲まれた空間内の少なくとも１つのトレイを含む、請求項６に記載の不正開放防止収容パッケージ。
【請求項９】
前記メカニカルファスナの前記第２サブアレイが、前記シールメカニカルファスナを取り外すように適合されたメカニカルファスナ工具による取り外しが不能である不正開放防止用メカニカルファスナを備える、請求項１に記載の不正開放防止収容パッケージ。
【請求項１０】
前記メカニカルファスナの前記第２サブアレイが、前記メカニカルファスナの前記第１サブアレイの前記シールメカニカルファスナのロックトルクの１０〜６０％であるロックトルクによって特徴付けられる不正開放防止用メカニカルファスナを備える、請求項１に記載の不正開放防止収容パッケージ。
【請求項１１】
不正開放防止収容パッケージであって、
容器と、
前記容器と係合するように構成されたカバーであって、前記容器および前記カバーが、囲まれた空間を形成する、カバーと、
前記カバーおよび前記容器と協働する少なくとも１つの不正開放防止用メカニカルファスナであって、前記容器および前記カバーが、前記囲まれた空間を前記不正開放防止収容パッケージの周囲環境から隔離する密閉状態で係合したときに前記収容パッケージに不正開放防止機能を与える不正開放防止用メカニカルファスナとを備える、不正開放防止収容パッケージ。
【請求項１２】
前記不正開放防止用メカニカルファスナのアレイを含む、請求項１１に記載の不正開放防止収容パッケージ。
【請求項１３】
前記少なくとも１つの不正開放防止用メカニカルファスナが、前記容器および前記カバーを前記密閉状態に維持するのに効果的である、請求項１１に記載の不正開放防止収容パッケージ。
【請求項１４】
前記少なくとも１つの不正開放防止用メカニカルファスナの各々がシーリングブラケットと係合して、前記シーリングブラケットが、前記容器および前記カバーを前記密閉状態にシールするために、前記容器および前記カバーを圧縮するようにし、前記密閉状態においては、前記囲まれた空間が周囲環境から隔離される、請求項１１に記載の不正開放防止収容パッケージ。
【請求項１５】
前記少なくとも１つの不正開放防止用メカニカルファスナの各々が、前記カバーおよび前記容器と螺合している、請求項１１に記載の不正開放防止収容パッケージ。
【請求項１６】
容器と、
化学薬品容器の部分と係合するように構成されたカバーであって、前記容器および前記カバーが、囲まれた空間を形成する、カバーと、
係合された前記容器および前記カバーの中間にある、少なくとも１つのシール要素と、
前記カバーを、前記カバーと係合する前記容器の前記部分と相互接続するように構成されたメカニカルファスナのアレイとを備える不正開放防止パッケージであって、
前記アレイが、
前記係合された容器および前記カバーを、前記少なくとも１つのシール要素と共に、漏れを防止するように全体的にシールするシールメカニカルファスナを備える、前記メカニカルファスナの第１サブアレイと、
前記カバーを、前記カバーと係合する前記容器の前記部分と相互接続する不正開放防止用メカニカルファスナを備える、前記メカニカルファスナの第２サブアレイとを含み、前記不正開放防止用メカニカルファスナが、（ｉ）前記メカニカルファスナの前記第１サブアレイが無ければ、前記係合された容器および前記カバーを、漏れを防止するように全体的にシールせず、（ｉｉ）不正開放防止特徴によって、前記係合された容器および前記カバーから、前記カバーが不正に取り外される場合を除き、前記カバーが前記容器から外されることを防止する、不正開放防止パッケージ。
【請求項１７】
前記不正開放防止用メカニカルファスナが、前記シールメカニカルファスナのロックトルクの１０％〜６０％のロックトルクを有する、請求項１６に記載の不正開放防止パッケージ。
【請求項１８】
前記カバーに係合する前記容器の前記部分が、前記カバーの周辺部分のための係合表面を提供する外方に延びるフランジを備える、請求項１６に記載の不正開放防止パッケージ。
【発明の詳細な説明】
【技術分野】
【０００１】
関連出願
米国特許法１１９に基づき、２０１６年４月１９日に出願された米国仮特許出願第６２／３２４，３４２号明細書の優先権の利益をここに請求する。米国仮特許出願第６２／３２４，３４２号明細書の開示は、全ての目的のためにその全体が参照により本明細書に援用される。
【０００２】
本開示は、概して、パッケージの周囲環境への曝露から望ましく保護されている材料、物品、アセンブリ等の収容用のパッケージであって、例えば化学薬品、特に毒性、または現地環境に放出された場合、健康、安全、または環境上のリスクを引き起こす可能性のある危険有害性を有する化学薬品を収容するために用いられる化学薬品パッケージに関する。より具体的には、本開示は、パッケージの内容物の、パッケージの周囲環境またはパッケージを取り囲む周囲環境に対する望ましくない曝露から保護する不正開放防止の安全機能を有するパッケージに関する。
【背景技術】
【０００３】
固体および液体の化学薬品の輸送、保管、設置および使用において、化学薬品の収容のための多種多様なパッケージが開発されている。そのような化学薬品の多くは、化学薬品パッケージが破損し、収容されている化学薬品が、パッケージの局所環境に曝露され、放出されると、健康、安全、および環境リスクを引き起こす。
【０００４】
例えば、半導体製造業界では、集積回路およびマイクロエレクトロニクス製品の製造に多種多様なケミカルハイドライド、酸および有機金属薬品が利用されている。このような薬品の多くは、労働者が、健康に悪影響を及ぼすことなく日常的に曝されてもよい化学物質のレベルである許容濃度値（ＴＬＶ）が非常に低い。フラットパネルディスプレイおよびソーラーパネルの製造に使用される多くの固体薬品および液体薬品についても同様である。そのような薬品を収容する化学薬品パッケージの破損に関する健康および安全の考慮に加えて、薬品が容器の周囲環境に曝露され、周囲環境への曝露によって劣化して、意図された目的のために不十分または無用になってしまった場合、多くの場合、高純度または超高純度であることが要求される化学薬品の純度が損なわれる可能性がある、という付随した不利点もある。
【０００５】
したがって、当該技術分野では、パッケージから周囲環境への化学薬品の望ましくない放出を防止し、化学薬品をそのような周囲環境への曝露から保護することを助けるために、安全性が向上した化学薬品パッケージ設計を追求し続けている。
【発明の概要】
【発明が解決しようとする課題】
【０００６】
本開示は、容器およびカバーが互いに機械的に固定され、パッケージの内容物がパッケージの外部環境への曝露から望ましく保護されるパッケージに関する。
【課題を解決するための手段】
【０００７】
一態様では、本開示は、不正開放防止収容パッケージであって、容器と、容器と係合するように構成されたカバーであって、容器およびカバーが、囲まれた空間を形成する、カバーと、カバーおよび容器と協働する少なくとも１つの不正開放防止用メカニカルファスナであって、容器およびカバーが、囲まれた空間を、収容パッケージの周囲環境または収容パッケージを取り囲む周囲環境から隔離する密閉状態で係合したときに収容パッケージに不正開放防止機能を与える不正開放防止用メカニカルファスナとを備える不正開放防止収容パッケージに関する。
【０００８】
別の態様では、本開示は、容器と、容器の部分と係合するように構成されたカバーであって、容器およびカバーが、囲まれた空間を形成する、カバーと、カバーを、カバーと係合する容器の部分と相互接続するように構成されたメカニカルファスナのアレイとを備える不正開放防止収容パッケージであって、そのようなアレイが、係合された容器およびカバーを全体的にシールするシールメカニカルファスナを備えるメカニカルファスナの第１サブアレイと、カバーを、カバーと係合する容器の部分と相互接続する不正開放防止用メカニカルファスナを備えるメカニカルファスナの第２サブアレイとを含み、不正開放防止用メカニカルファスナが、（ｉ）メカニカルファスナの第１サブアレイが無ければ、係合された容器およびカバーを全体的にシールせず、（ｉｉ）不正開放防止特徴によって、係合された容器およびカバーから、カバーが不正に取り外される場合を除き、カバーが容器から外されることを防止する、不正開放防止収容パッケージに関する。
【０００９】
さらに別の態様において、本開示は、容器と、化学薬品容器の部分と係合するように構成されたカバーであって、容器およびカバーが、囲まれた空間を形成する、カバーと、係合された容器およびカバーの中間にある、少なくとも１つのシール要素と、カバーを、カバーと係合する容器の部分と相互接続するように構成されたメカニカルファスナのアレイとを備える不正開放防止パッケージであって、そのようなアレイが、前記係合された容器および前記カバーを、前記少なくとも１つのシール要素と共に、漏れを防止するように全体的にシールするシールメカニカルファスナを備えるそのようなメカニカルファスナの第１サブアレイと、前記カバーを、前記カバーと係合する前記容器の前記部分と相互接続する不正開放防止用メカニカルファスナを備えるメカニカルファスナの第２サブアレイとを含み、不正開放防止用メカニカルファスナが、（ｉ）前記メカニカルファスナの前記第１サブアレイが無ければ、前記係合された容器および前記カバーを、漏れを防止するように全体的にシールせず、（ｉｉ）不正開放防止特徴によって、前記係合された容器および前記カバーから、前記カバーが不正に取り外される場合を除き、前記カバーが前記容器から外されることを防止する、不正開放防止パッケージに関する。
【００１０】
さらに別の態様において、本開示は、容器と、容器の部分と係合するように構成されたカバーであって、容器およびカバーが、囲まれた空間を形成する、カバーと、カバーを、カバーと係合する容器の部分と相互接続するように構成されたメカニカルファスナのアレイとを備える不正開放防止収容パッケージであって、当該アレイが、係合された容器およびカバーを全体的にシールするシールメカニカルファスナを備えるメカニカルファスナの第１サブアレイと、カバーを、カバーと係合する容器の部分と相互接続する不正開放防止用メカニカルファスナを備えるメカニカルファスナの第２サブアレイとを含み、不正開放防止用メカニカルファスナが、（ｉ）メカニカルファスナの第１サブアレイが無ければ、係合された容器およびカバーを全体的にシールせず、（ｉｉ）不正開放防止特徴によって、係合された容器およびカバーから、カバーが不正に取り外される場合を除き、カバーが容器から外されることを防止する、不正開放防止収容パッケージに関する。不正開放防止収容パッケージは、いくつかの実施形態では、（ｉ）第１サブアレイのシールメカニカルファスナよりもサイズが小さいこと、（ｉｉ）シールメカニカルファスナを取り外すように適合されたメカニカルファスナ工具による取り外しが不能であること、（ｉｉｉ）メカニカルファスナの第１サブアレイのシールメカニカルファスナが上方に突出する表面の下方に、カバー内に沈んでいること、および（ｉｖ）メカニカルファスナの第１サブアレイのシールメカニカルファスナのロックトルクの１０〜６０％であるロックトルクによって特徴付けられることのうち、少なくとも１つを満たす、不正開放防止用メカニカルファスナを備える、上記メカニカルファスナの第２サブアレイを有してもよい。この不正開放防止収容パッケージのいくつかの実施形態では、パッケージは特徴（ｉ）〜（ｉｖ）のうち、少なくとも２つを有する。不正開放防止収容パッケージは、係合された容器およびカバーの中間に、少なくとも１つのシール要素をさらに備えてもよく、ここでカバーに係合する容器の部分が、任意選択的に、カバーの周辺部分のための係合表面を提供する外方に延びるフランジを備えてもよい。不正開放防止収容パッケージは、囲まれた空間内に、パッケージの囲まれた空間内に収容される液体化学薬品材料、または粒状またはクラスト状であってもよい固体化学薬品材料を収容することができる。不正開放防止収容パッケージ容器は、材料の蒸気を生成するために、囲まれた空間内の材料に熱エネルギーを伝達するために加熱されるように構成されている。不正開放防止収容パッケージは、少なくとも１つの支持構造と、液体または固体の化学薬品材料を保持するための、囲まれた空間内のトレイ、または囲まれた空間内のトレイのアレイとをさらに含んでもよい。不正開放防止収容パッケージの実施形態では、メカニカルファスナの第２サブアレイは、シールメカニカルファスナを取り外すように適合されたメカニカルファスナ工具による取り外しが不能である不正開放防止用メカニカルファスナを備えてもよく、および任意選択的に、メカニカルファスナの第２サブアレイは、メカニカルファスナの第１サブアレイのシールメカニカルファスナのロックトルクの１０〜６０％であるロックトルクによって特徴付けられる不正開放防止用メカニカルファスナを備えてもよい。
【００１１】
さらに別の態様では、本開示は、不正開放防止収容パッケージであって、容器と、カバーであって、容器とカバーとが密閉空間を形成するように容器と係合するように構成されたカバーと、カバーおよび容器と協働する少なくとも１つの不正開放防止用メカニカルファスナであって、容器およびカバーが、囲まれた空間を収容パッケージの周囲環境から隔離する密閉状態で係合したときに収容パッケージに不正開放防止機能を与える不正開放防止用メカニカルファスナとを備える不正開放防止収容パッケージに関する。不正開放防止収容パッケージは、いくつかの実施形態では、不正開放防止用メカニカルファスナのアレイを備えてもよく、さらなる実施形態では、少なくとも１つの不正開放防止用メカニカルファスナは、容器およびカバーを密閉状態に維持するのに効果的であることができる。不正開放防止収容パッケージのいくつかの実施形態では、少なくとも１つの不正開放防止用メカニカルファスナがシーリングブラケットと係合することができ、シーリングブラケットが、容器およびカバーを密閉状態にシールするために、容器およびカバーを圧縮するようにし、密閉状態においては、容器の、囲まれた空間が、周囲環境から隔離される。いくつかの実施形態では、少なくとも１つの不正開放防止用メカニカルファスナは、カバーと容器とを螺合する。
【００１２】
他の態様では、本開示は、容器と、カバーであって、容器およびカバーが、囲まれた空間を形成するように化学薬品容器の部分と係合するように構成されたカバーとを備え、または含む不正開放防止パッケージに関する。不正開放防止パッケージは、係合された容器およびカバーの中間にある、少なくとも１つのシール要素と、カバーを、カバーと係合する容器の部分と相互接続するように構成されたメカニカルファスナのアレイとを備え、アレイが、係合された容器およびカバーを、少なくとも１つのシール要素と共に、漏れを防止するように全体的にシールするシールメカニカルファスナを備えるメカニカルファスナの第１サブアレイと、カバーを、カバーと係合する容器の部分と相互接続する不正開放防止用メカニカルファスナを備えるメカニカルファスナの第２サブアレイとを含み、不正開放防止用メカニカルファスナが、（ｉ）メカニカルファスナの第１サブアレイが無ければ、係合された容器およびカバーを、漏れを防止するように全体的にシールせず、（ｉｉ）不正開放防止特徴によって、係合された容器およびカバーから、カバーが不正に取り外される場合を除き、カバーが容器から外されることを防止する。不正開放防止パッケージは、ほぼ平坦な外面を有するカバーを有することができ、不正開放防止用メカニカルファスナは、その不正開放防止機能を強化するために、カバーの平坦な外面より沈んでいてもよい。不正開放防止パッケージ用の不正開放防止用メカニカルファスナは、シールメカニカルファスナのロックトルクの１０％〜６０％のロックトルクを有してもよい。不正開放防止パッケージのカバーに係合する容器は、カバーの周辺部分のための係合表面を提供する外方に延びるフランジを備えてもよい。
【００１３】
さらなる態様では、本開示は、本明細書において様々に説明される本開示に従った不正開放防止パッケージ、および不正開放防止用メカニカルファスナの取り外し工具であって、カバーおよび容器から、不正開放防止用メカニカルファスナを不正ではなく取り外すことに特に適合されており、かつカバーおよび容器からシールメカニカルファスナを取り外すことには効果的ではない不正開放防止用メカニカルファスナの取り外し工具を備えるキットに関する。
【００１４】
本開示の他の態様、特徴および実施形態は、以下の説明および添付の特許請求の範囲からより完全に明らかになるであろう。
【図面の簡単な説明】
【００１５】
【図１】本開示の不正開放防止特徴部が有効に適用され得るタイプの化学薬品パッケージ（従来技術）の斜視図である。
【図２】本開示の不正開放防止特徴部が適用された化学薬品パッケージの斜視図である。
【図３】図２の化学薬品パッケージの一部分の拡大斜視図であり、メカニカルファスナの第１サブアレイ内のシールメカニカルファスナ、およびメカニカルファスナの第２サブアレイの不正開放防止用メカニカルファスナの詳細を示す。
【図４】本開示の別の実施形態による、本開示の不正開放防止特徴部が適用された化学薬品パッケージの斜視図である。
【図５】図２の化学薬品パッケージの一部分の拡大斜視図であり、メカニカルファスナの第１サブアレイ内のシールメカニカルファスナ、およびメカニカルファスナの第２サブアレイの不正開放防止用メカニカルファスナの詳細を示す。
【図６】不正開放防止用シーリング部材を含む、本開示の別の実施形態による化学薬品パッケージの斜視図である。
【発明を実施するための形態】
【００１６】
本開示は、不正開放防止の安全機能を組み込んだパッケージであって、パッケージの内容物をパッケージの周囲環境への曝露から保護するパッケージに関する。
【００１７】
一態様では、本開示は、不正開放防止収容パッケージであって、容器と、容器と係合するように構成されたカバーであって、容器およびカバーが、囲まれた空間を形成する、カバーと、カバーおよび容器と協働する少なくとも１つの不正開放防止用メカニカルファスナであって、容器およびカバーが、囲まれた空間を不正開放防止収容パッケージの周囲環境から隔離する密閉状態で係合したときに収容パッケージに不正開放防止機能を与える不正開放防止用メカニカルファスナとを備える不正開放防止収容パッケージに関する。
【００１８】
そのような不正開放防止収容パッケージの様々な実施形態では、不正開放防止用メカニカルファスナのアレイを使用することができる。様々な実施形態において、不正開放防止用メカニカルファスナは、カバーと容器とを螺合する。様々な実施形態における不正開放防止用メカニカルファスナは、不正開放防止用メカニカルファスナが、容器およびカバーを密閉状態に維持するのに効果的な形態であってもよい。
【００１９】
様々な実施形態では、不正開放防止収容パッケージは、少なくとも１つの不正開放防止用メカニカルファスナの各々が、シーリングブラケットが、容器とカバーを、密閉状態に密閉するために容器および容器を圧縮するように、シーリングブラケットに係合するように構成される。密閉状態では、パッケージの囲まれた空間が収容パッケージの周囲環境から隔離される。
【００２０】
したがって、様々な実施形態では、不正開放防止用メカニカルファスナは、容器およびカバーを含むパッケージに不正開放防止特徴を付与するとともに、容器とカバーをシールする、またはシールすることを助けることに効果的であり、それによってパッケージの囲まれた空間をパッケージの周囲環境から隔離する密閉状態にあるようにする、という２つの役割を果たすことができる。
【００２１】
本開示のパッケージに利用される不正開放防止用メカニカルファスナは、例えば、時間が経過した後に、カバーが係合カバーおよび容器アセンブリから、不正に取り外された場合を除いて、カバーが容器から外されることを防止するのに効果的であるように構成される。不正による取り外しは、例えば、パッケージに化学薬品が充填され、密閉された後、パッケージの再充填、再調整、その他の最終的な処分の前に行われる。
【００２２】
様々な実施形態において、本開示は、容器と、容器の部分と係合するように構成されたカバーであって、容器およびカバーが、囲まれた空間を形成する、カバーと、カバーを、カバーと係合する容器の部分と相互接続するように構成されたメカニカルファスナのアレイとを備える不正開放防止収容パッケージであって、そのようなアレイが、係合された容器およびカバーを全体的にシールするシールメカニカルファスナを備えるメカニカルファスナの第１サブアレイと、カバーを、カバーと係合する容器の部分と相互接続する不正開放防止用メカニカルファスナを備えるメカニカルファスナの第２サブアレイとを含み、不正開放防止用メカニカルファスナが、（ｉ）メカニカルファスナの第１サブアレイが無ければ、係合された容器および容器を全体的にシールせず、（ｉｉ）不正開放防止特徴によって、係合された容器およびカバーから、カバーが不正に取り外される場合を除き、カバーが容器から外されることを防止する、不正開放防止収容パッケージに関する。
【００２３】
他の実施形態では、本開示は、容器と、化学薬品容器の部分と係合するように構成されたカバーであって、容器およびカバーが、囲まれた空間を形成する、カバーと、係合された容器およびカバーの中間にある、少なくとも１つのシール要素と、カバーを、カバーと係合する容器の部分と相互接続するように構成されたメカニカルファスナのアレイとを備える不正開放防止パッケージであって、そのようなアレイが、係合された容器およびカバーを、少なくとも１つのシール要素と共に、漏れを防止するように全体的にシールするシールメカニカルファスナを備えるそのようなメカニカルファスナの第１サブアレイと、カバーを、カバーと係合する容器の部分と相互接続する不正開放防止用メカニカルファスナを備えるメカニカルファスナの第２サブアレイとを含み、不正開放防止用メカニカルファスナが、（ｉ）メカニカルファスナの第１サブアレイが無ければ、係合された容器およびカバーを、漏れを防止するように全体的にシールせず、（ｉｉ）不正開放防止特徴によって、係合された容器およびカバーから、カバーが不正に取り外される場合を除き、カバーが容器から外されることを防止する、不正開放防止パッケージに関する。
【００２４】
上述の不正開放防止収容パッケージの様々な実施形態において、メカニカルファスナの第２サブアレイは、（ｉ）第１サブアレイのシールメカニカルファスナよりもサイズが小さいこと、（ｉｉ）シールメカニカルファスナを取り外すように適合されたメカニカルファスナ工具による取り外しが不能であること、（ｉｉｉ）メカニカルファスナの第１サブアレイのシールメカニカルファスナが上方に突出する表面の下方に、カバー内に沈んでいること、および（ｉｖ）メカニカルファスナの第１サブアレイのシールメカニカルファスナのロックトルクの１０〜６０％であるロックトルクによって特徴付けられることのうち、少なくとも１つを満たす、不正開放防止用メカニカルファスナを備えてもよい。
【００２５】
上述した不正開放防止収容パッケージは、様々な実施形態において、メカニカルファスナの第１サブアレイのシールメカニカルファスナが、係合された容器およびカバーを、漏れを防止するように全体的にシールし、かつメカニカルファスナの第１サブアレイが無ければ、メカニカルファスナの第２サブアレイのメカニカルファスナは、係合された容器およびカバーを、漏れを防止するように全体的にシールしないように構成されてもよい。
【００２６】
上述した不正開放防止収容パッケージは、具体的な実施形態では、係合された容器およびカバーの中間にある、少なくとも１つのシール要素をさらに備える。シール要素は、例えばガスケット、例えば金属ガスケット、エラストマー材料の円形リング、または他の単数または複数のシーリング要素である。
【００２７】
不正開放防止収容パッケージは、様々な実施形態において、カバーに係合する容器の部分が、カバーの周辺部分のための係合表面を提供する外方に延びるフランジを備えるように構成されてもよい。
【００２８】
本開示の不正開放防止収容パッケージは、任意の適切な単一または複数の、材料または構成材料で形成することができる。例えば、容器およびカバーは、金属で形成されてもよく、容器およびカバーは、同じ金属から形成されても、異なる金属から形成されてもよい。様々な実施形態において、容器およびカバーはステンレス鋼で形成される。
【００２９】
不正開放防止収容パッケージの使用において、化学薬品原材料の１つ以上の相がパッケージの囲まれた空間に収容されてもよい。様々な実施形態において、化学薬品原材料は、囲まれた空間内に収容された固体材料であって、囲まれた空間内で、固体材料の蒸気を生成する蒸気圧を有する固体材料等の固体材料を備えてもよい。他の実施形態では、原材料は、化学薬品の液体および蒸気がパッケージ内に存在するように、大きな蒸気圧を有する液体を含むことができる。
【００３０】
いくつかの実施形態では、パッケージは、気化器パッケージとして使用するように構成され、配置されてもよい。気化器パッケージにおいては、容器は、囲まれた空間に収容された固体化学薬品材料に熱エネルギーを伝達するために加熱される。そのような実施形態では、不正開放防止収容パッケージは、囲まれた空間内の固体材料に熱エネルギーを伝達するように適合されたヒータと組み合わされており、固体化学薬品が、容器の加熱によって気化し、パッケージから排出される蒸気を生成する。
【００３１】
一般に、不正開放防止収容パッケージは、囲まれた空間内に、半導体製品、フラットパネルディスプレイ、またはソーラーパネルの製造のための化学薬品等の任意の適切な化学薬品材料を収容する。パッケージ中の固体化学薬品は、任意の適切な形態、例えば、粒状、顆粒状、粉末状、または他の不連続形態であってもよく、あるいは、ブロック、煉瓦、またはブール形状等のモノリスの形状であってもよく、あるいはクラスト層状であってもよい。クラスト層状においては、クラスト層が、粒状の固体化学薬品に重なる、固体化学薬品の溶融したクラストを備える。
【００３２】
様々な実施形態における不正開放防止収容パッケージは、内部空間内に、少なくとも１つの支持構造を含んで支持面を提供する。この支持面上に、固体化学薬品が保持される。支持構造は、任意の適切なタイプのものでよい。例えば、不正開放防止収容パッケージ内の支持構造は、囲まれた空間内に取り付けられた少なくとも１つのトレイを備えてもよい。様々な実施形態において、支持構造は、例えば、本明細書の図１に示すタイプのトレイのアレイ等の、トレイのアレイを、囲まれた空間内に含むことができる。
【００３３】
様々な実施形態において、不正開放防止収容パッケージは、メカニカルファスナの第２サブアレイであって、メカニカルファスナの第１サブアレイのシールメカニカルファスナよりもサイズが小さい不正開放防止用メカニカルファスナを備える第２サブアレイを備えて製造されてもよい。他の実施形態では、メカニカルファスナの第２サブアレイは、シールメカニカルファスナを取り外すように適合されたメカニカルファスナ工具による取り外しが不能である不正開放防止用メカニカルファスナを備える。さらに他の実施形態では、メカニカルファスナの第２サブアレイは、メカニカルファスナの第１サブアレイのシールメカニカルファスナが上方に突出する表面の下方に、カバー内に沈んでいる不正開放防止用メカニカルファスナを備える。さらに他の実施形態では、メカニカルファスナの第２サブアレイが、メカニカルファスナの第１サブアレイのシールメカニカルファスナのロックトルクの１０〜６０％であるロックトルクによって特徴付けられる不正開放防止用メカニカルファスナを備える。さらに他の実施形態では、望ましい不正開放防止特徴部を提供する不正開放防止パッケージを提供するために、不正開放防止用メカニカルファスナの上述したような特徴のうち、任意のものを、そのような特徴のうち２以上の様々な組み合わせで採用することができる。
【００３４】
特定の実施形態では、不正開放防止パッケージは、容器と、化学薬品容器の部分と係合するように構成されたカバーであって、容器およびカバーが、囲まれた空間を形成する、カバーと、係合された容器およびカバーの中間にある、少なくとも１つのシール要素と、カバーを、カバーと係合する容器の部分と相互接続するように構成されたメカニカルファスナのアレイとを備えてもよく、そのようなアレイが、係合された容器およびカバーを、少なくとも１つのシール要素と共に、漏れを防止するように全体的にシールするシールメカニカルファスナを備えるそのようなメカニカルファスナの第１サブアレイと、カバーを、カバーと係合する容器の部分と相互接続する不正開放防止用メカニカルファスナを備えるメカニカルファスナの第２サブアレイとを含み、不正開放防止用メカニカルファスナが、（ｉ）メカニカルファスナの第１サブアレイが無ければ、係合された容器およびカバーを、漏れを防止するように全体的にシールせず、（ｉｉ）不正開放防止特徴によって、係合された容器およびカバーから、カバーが不正に取り外される場合を除き、カバーが容器から外されることを防止する。
【００３５】
このような具体的な実施形態は、平坦な外面を有するカバーと、不正開放防止機能を強化するために、このような面の下方に沈んでいる不正開放防止用メカニカルファスナとを備えて構成することができる。代替的に、または付加的に、不正開放防止用メカニカルファスナは、シールメカニカルファスナのロックトルクの１０％〜６０％のロックトルクを有してもよい。前述の、そのような実施形態のうち任意のものにおけるパッケージは、カバーに係合する容器の部分が、カバーの周辺部分のための係合表面を提供する外方に延びるフランジを備えるように製造されてもよい。
【００３６】
別の態様では、本開示は、本明細書において様々に説明される本開示に従った不正開放防止パッケージ、および不正開放防止用メカニカルファスナの取り外し工具であって、カバーおよび容器から、不正開放防止用メカニカルファスナを不正ではなく取り外すことに特に適合されており、かつカバーおよび容器からシールメカニカルファスナを取り外すことには効果的ではない不正開放防止用メカニカルファスナの取り外し工具を備えるキットに関する。
【００３７】
ここで、図面を参照すると、図１（従来技術）は、本開示の不正開放防止特徴部が有効に適用され得るタイプの化学薬品パッケージの斜視図である。
【００３８】
以下の説明は固体化学薬品気化器パッケージに向けられているが、そのような特定のパッケージは単に例示的な特徴であり、本開示の不正開放防止特徴部は一般に、カバーがメカニカルファスナによって結合されている容器を含むパッケージであって、容器およびカバーによって囲まれ、化学薬品材料が収容された内部空間を形成し、そのような化学薬品材料がパッケージ内の収容に関連して、増加するリスクを有する、パッケージの外部環境から化学薬品材料を隔離する、パッケージに適用される。
【００３９】
したがって、本開示は、例示的な固体化学薬品気化器パッケージを参照して説明される。この固体化学薬品気化器パッケージにおいては、気化性固体化学薬品は、熱エネルギーを容器に加えることによって加熱され、熱は容器によって固体化学薬品に伝達されて薬品を気化させ、対応する化学薬品蒸気を形成する。化学薬品蒸気は、半導体製造施設、またはフラットパネルディスプレイ、ソーラーパネル、もしくは他の適切な製品を製造するための施設等の、蒸気利用施設であって、化学薬品蒸気が製造プロセスで利用される施設に分配されるためのものである。
【００４０】
そのようなタイプの気化器パッケージが図１に示されている。気化器パッケージ１０は、例えば銀、銀合金、銅、銅合金、アルミニウム、アルミニウム合金、鉛、ニッケルクラッド、ステンレス鋼、グラファイト、炭化ケイ素で被覆されたグラファイト、窒化ホウ素、セラミック材料等、もしくはそのような材料の構造のタイプの、２つ以上の任意の適切な組み合わせ、混合物および合金のいずれかを含む、適切な熱伝導材料で製造された容器１２を備える。
【００４１】
この容器は床部１４および外接側壁１６を含み、これらは共に容器の内部空間を形成する。この容器は、その内部空間を通るキャリアガスの均一な流れを促す任意の形状を有することができる。様々な実施形態において、容器は、非常に厳しい公差（例えば、１／１０００〜３／１０００インチの範囲）に機械加工された円筒形状を有する場合がある。
【００４２】
容器は、キャリアガス入口弁２０が取り付けられたカバー１８を含む。入口弁２０は、弁が開いているときに容器の内部空間に選択的にキャリアガスを導入するように配置されている。
【００４３】
容器の内部空間内には、複数の垂直に積み重ねられたトレイ２２が配置されている。積み重ねられたトレイは、互いに分離可能であり、容易に清掃および補充のために容器から取り外し可能である。容器内には、入口弁２０に関連付けられたカバーのガス入口に接続された（例えば、溶接された）内部キャリアガスダウンチューブ２３が配置されており、垂直に積み重ねられたトレイのアレイのうち、最下部トレイの下の内部空間の底部に、キャリアガスを運ぶ。図１では、ダウンチューブ２３は、トレイの床部２４を通って延びる、各トレイの円筒状カラー２７を貫通する。特に原材料が液体である場合、トレイの床部２４とのダウンチューブの接合部での漏れ防止シールを確実にするために、シーリングＯリング３８を、連続するトレイの間に配置することができる。追加の外側Ｏリングを使用して、各トレイ側壁の上面においてトレイ間をシールしてもよい。
【００４４】
化学原薬品が固体形態である場合、キャリアガス流中に固体が巻き込まれることを抑制または最小化するために、様々な構造要素を使用することができる。そのような巻き込みに対処するための特徴部は、任意の適切なタイプの特徴部であってよく、例えばフリット要素ならびにフリット以外の粒子抑制特徴部またはデバイス等が例として挙げられる。様々な実施形態において、フリット以外の粒子抑制特徴部の例には、粒子凝集または収集機能を果たす、蛇行流路、上昇流の固体離脱構造、接線方向ガス流副流等が含まれ得る。具体的な例として、例えば、１〜１００ミクロンの範囲の孔径を有する高純度ステンレス鋼フリット、およびフリット以外の少なくとも１つの粒子抑制特徴部を、任意の適切な場所に加えて、キャリアガス流量を制御することができる。例えばフリットは、トレイに関連付けられた各貫通管３０の「入口」に設置することができ、より大きなディスクフリットを上部トレイに加え、容器上の蓋の設置からの圧力によって上部トレイ内にシールすることができ、あるいは、フリットを出口ガス流路に配置してもよい。
【００４５】
図１に示すように、各トレイの貫通管の配置は、隣接するトレイの貫通管の位置からわずかにずらされており、これにより、結果として得られる混合物が貫通管を通って次の隣接するトレイ領域に輸送される前に、キャリアガスをトレイ内で強制的に循環させて、キャリアガスを気化した原材料と接触させる。このような配置によって、キャリアガスと原薬品材料との複数レベルの接触により、キャリアガスが高効率で飽和することが可能になる。
【００４６】
気化器パッケージ１０のサイズは、ＣＶＤ装置またはイオン注入システム等、下流の流体利用設備に供給される蒸気の量に応じて広く変えることができる。一実施形態では、気化器は、内径が約３〜６インチの範囲（例えば、約３．７５インチ）の円筒形状を有する。気化器容器の内部空間内のトレイの数は、気化器パッケージのサイズによって決定される。様々な実施形態では、３〜５のトレイが気化器容器に封入される。
【００４７】
複数のトレイを含む気化器は、加熱されて、特定の原材料が気化することと、気化器から下流の流体利用施設に供給されるキャリアガス混合物中の原薬品を所望の濃度とすることと、原薬品気化操作で使用される特定のセットの操作条件とに適した所望の温度に維持される。
【００４８】
気化器容器の加熱は、任意の適切な方法で行うことができる。一実施形態では、リボンヒータが気化器の周りに巻き付けられる。別の実施形態では、気化器の外面の少なくとも大部分を覆う形状を有するブロックヒータを用いて気化器容器を加熱する。さらに別の実施形態では、高温の熱伝達流体を気化器容器の外面と接触させて気化器容器を加熱することができる。さらなる実施形態は、赤外線または他の放射エネルギーを気化器容器に当てることによる加熱を含む。
【００４９】
さらなる実施形態における開示は、固体原薬品の対流加熱を行うために、容器内の高温ガスの循環による原薬品の加熱を企図する。
【００５０】
気化器容器の加熱方法は、正確かつ確実に、気化器を所望の温度レベルにし、この温度レベルに維持する限り、特に限定されない。
【００５１】
容器の内部空間における温度偏差が最小になるように、気化器容器を熱的に均一な様式で加熱することが望ましい。トレイが壁と直接熱接触する特定の実施形態では、壁からの熱伝導によるこのようなトレイの加熱は、トレイ上の原薬品を気化させるための便利で効果的な方法を提供する。
【００５２】
いくつかの用途では、気化器容器の内部空間に付加された表面積構造を利用して、原薬品材料の気化のための、原薬品材料の加熱の程度および速度を高めることが望ましい場合がある。
【００５３】
原材料の高効率気化を達成するための別の手段として、キャリアガスは、化学薬品の加熱およびその気化を助けるために、気化器容器の内部空間に導入される前に加熱されてもよい。例えば、キャリアガスを入口弁２０に供給する流路は、所望の温度レベルでキャリアガスを気化器容器に送達するために、ヒートトレースされるか、そうでなければ加熱されてもよい。
【００５４】
昇華可能な固体原化学薬品からの蒸気送達のための特定の構成では、気化器パッケージは、加熱された表面積を増加させる複数の加熱貫通管を含む一連の加熱トレイを利用し、それによって、増加した熱分配の結果として高効率な方法で達成されるべき、固体原化学薬品材料の昇華を可能にする。
【００５５】
本開示による気化器パッケージの使用では、容器にカバーを固定する（カバー１８が、ボルトメカニカルファスナによって容器に固定されている図１参照）前に、原薬品材料を気化器容器に導入してもよいし、トレイに収容してもよいし、あるいは気化器容器の内部空間に配置してもよい。原薬品材料は、固体形態、液体形態、半固体形態、または適切な溶媒媒体に溶解または分散された原薬品材料を含有する溶液を含む、任意の適切な形態であり得る。
【００５６】
一実施形態では、原薬品材料は、適切な厚さのフィルムまたは被覆として、トレイおよびトレイキャビティ内の貫通管の表面上を被覆する堆積物の形態で提供される。このようなフィルムまたは被覆は、様々な適切な方法のうち、任意の方法によって形成することができる。任意の方法には、原薬品を加熱して溶融させる方法、溶融原薬品材料をトレイおよび貫通管の表面に塗布した後、塗布した材料を冷却する方法が含まれる。
【００５７】
原化学薬品が金属錯体を含む別の実施形態では、金属錯体を溶媒に溶解し、得られた溶液をトレイおよび貫通管の表面に塗布し、続いて、減圧下で塗布した材料から溶媒を除去する。
【００５８】
気化器パッケージは、こうして、気化器容器の内部空間の中心のダウンチューブに取り付けられた複数の垂直に積み重ねられたトレイを含むことができる。原化学薬品材料は、所定量の原化学薬品、例えば計量された粒状固体をトレイに充填することによって、容器の内部空間に充填することができる。原薬品を気化器容器内にこのように充填した後、パッケージのカバー１８は、容器の頂部に配置され、ポリテトラフルオロエチレンまたはエラストマーから製造されたＯリング要素等によって、およびボルトファスナ等のメカニカルファスナによって容器にシールされる。
【００５９】
気化器パッケージを組み立て、かつキャリアガスをパッケージ容器の囲まれた空間に送達し、原化学薬品蒸気を含むキャリアガス混合物の容器から排出するために、気化器パッケージをプロセスラインと結合した後、気化器ヒータが、気化器容器の加熱を行うために作動される。加熱は、気化器および接触しているトレイ内の内部温度が原料化学薬品材料を気化させるのに十分な温度に上昇するように行われる。
【００６０】
図２は、本開示の不正開放防止特徴部が適用された化学薬品パッケージ５０の斜視図である。
【００６１】
図示されているような化学薬品パッケージ５０は、その上端に、外方および円周方向に延びるフランジ５４を有する容器５２を含む。このフランジは、図示のように平らな上面６０を有するカバー５６と対をなすように係合する。カバーには、入口通路部材と関連付けられた入口弁、およびパッケージの出口通路部材に関連付けられた出口弁を含む弁アレイ６４が結合されている。
【００６２】
図２のパッケージのカバー５６は、メカニカルファスナのアレイによって容器５２の上部のフランジ５４と相互接続されている。メカニカルファスナのアレイは、係合された容器およびカバーを全体的にシールするシールメカニカルファスナ５８を備えるメカニカルファスナの第１サブアレイと、カバーを、カバーと係合する容器の部分と相互接続する不正開放防止用メカニカルファスナ７２を備えるメカニカルファスナの第２サブアレイとを含み、不正開放防止用メカニカルファスナ７２が、（ｉ）メカニカルファスナの第１サブアレイが無ければ係合した容器および容器を全体的にシールせず、（ｉｉ）不正開放防止特徴によって、係合した容器およびカバーから、カバーが不正に取り外される場合を除き、カバーが容器から外されることを防止する。
【００６３】
図３は、図２の化学薬品パッケージの一部分の拡大斜視図であり、メカニカルファスナの第１サブアレイ内のシールメカニカルファスナ５８、およびメカニカルファスナの第２サブアレイの不正開放防止用メカニカルファスナ７２の詳細を示す。
【００６４】
このように、図２〜図３のパッケージは、パッケージの非シール特徴部として不正開放防止用ボルトを含み、その目的は、パッケージの使用者が容器からカバーを完全に取り外すことを防止することである。不正開放防止用ボルトは、特殊キーによって不正ではない場合にのみ取り外しできる特殊ボルトである。そのような特殊キーは、パッケージの内容物への曝露によってけがまたは損傷の危険性を伴わない状況においてのみ、使用されるように、販売時に、パッケージと共にパッケージの購入者に提供してもよい。図３に示されるように、不正開放防止用ボルトは、そのような不正開放防止用ボルトを取り外すためにペンチまたはバイスグリップ等の工具が使用されないように、パッケージカバーの表面よりわずかに沈んだ平らな頭部の特徴を有するものであってもよい。
【００６５】
図４は、本開示の別の実施形態による、本開示の不正開放防止特徴部が適用された化学薬品パッケージ８０の斜視図である。
【００６６】
図示されているような化学薬品パッケージ８０は、その上端に、外方向および円周方向に延びるフランジ８４を有する容器８２を含む。このフランジは、図示のように、平らな上面８８を有するカバー８６と対をなすように係合する。カバーには、入口通路部材に関連付けられた入口弁、およびパッケージの出口通路部材に関連付けられた出口弁を含む弁アレイ９２が結合されている。
【００６７】
図４のパッケージのカバー８６は、メカニカルファスナのアレイによって容器８２の上部のフランジ８４と相互接続されている。メカニカルファスナのアレイは、係合された容器およびカバーを全体的にシールするシールメカニカルファスナ９０を備えるメカニカルファスナの第１サブアレイと、カバーを、カバーと係合する容器の部分と相互接続する不正開放防止用メカニカルファスナ９８を備えるメカニカルファスナの第２サブアレイとを含み、不正開放防止用メカニカルファスナ９８が（ｉ）メカニカルファスナの第１サブアレイが無ければ、係合した容器および容器を全体的にシールせず、（ｉｉ）不正開放防止特徴によって、係合した容器およびカバーから、カバーが不正に取り外される場合を除き、カバーが容器から外されることを防止する。図４の斜視図では３つの不正開放防止用ファスナ９８のみが見えるが、第４の不正開放防止用ファスナが、パッケージのカバー８６に配置された弁クラスター９２の後ろに配置されていることが理解されよう。不正開放防止用メカニカルファスナの数は、特定のパッケージの構造および要件に応じて変えることができ、特定のパッケージ用途に任意の適切な数を使用することができ、特定のパッケージには、メカニカルファスナの第２サブアレイが、２，３，４，５，６またはそれ以上の不正開放防止用メカニカルファスナを含むパッケージが含まれることが、さらに理解されよう。
【００６８】
図５は、図２の化学薬品パッケージの一部分の拡大斜視図であり、メカニカルファスナの第１サブアレイ内のシールメカニカルファスナ９０、およびメカニカルファスナの第２サブアレイの不正開放防止用メカニカルファスナ９８の詳細を示す。
【００６９】
図６は、不正開放防止用シーリング部材を含む、本開示の別の実施形態による化学薬品パッケージ１１０の斜視図である。
【００７０】
不正開放防止パッケージ１１０は、容器の周囲環境に曝されると、健康および／または安全の問題、および／または化学薬品の空気媒介分解等の化学薬品の損傷を招くことがあるような化学薬品を保持するための囲まれた内部空間を画定する外接円筒状壁１１４、および床部（図６では見えない）を有する容器１１２を含む。
【００７１】
容器１１２は、パッケージのカバー１２４の外周部分１２６によって対をなすように係合された半径方向外側に延びる上部の半径方向外方に延びるフランジ１１６を含む。カバー１２４には入口サブアセンブリ１２０および出口サブアセンブリ１４０を含む入口／出口アセンブリ１１８が取り付けられており、それによって、キャリアガスを空間内の化学薬品の蒸気と接触させるために、キャリアガスを容器の内部空間に導入することができる。そのような化学薬品は、容器１１２の加熱（加熱要素は図６には示されていない）によって気体化する固体化学薬品であってもよい。キャリアガスと化学薬品の蒸気との接触により、キャリアガス／化学薬品蒸気混合物が生成され、この混合物は出口サブアセンブリ１４０を通る流れによって容器から排出される。そのような目的のために、出口サブアセンブリ１４０を適切な流れ回路に結合して、キャリアガス／化学薬品蒸気混合物を、化学薬品蒸気が利用される下流プロセスに輸送することができる。
【００７２】
図６は、例示的な不正開放防止特徴部を含み、この特徴部は、図示されるように、中間ヨーク部分によって結合された２つの平行なフランジ部分を含む形態であり、それによって概ねＣ字形のシーリングブラケット１６０を含む。シーリングブラケットは、ねじ穴１６４を有する上部フランジ、およびねじ穴１６２を有する下部フランジを備える。この実施形態では、パッケージのカバー１２４の外周部分１２６、および上部の半径方向外方に延びるフランジ１１６には、それらを貫通するねじ付き通路１５２が設けられており、ねじ付き通路１５２は、カバー１２４の上面で、開口１５０において終端する。このようにして、シーリングブラケット１６０は、外周部分１２６と、上部の半径方向外方に延びるフランジ１１６上に配置され、ねじ穴１６４が開口１５０と重なるように、ねじ穴１６２およびねじ穴１６４が、ねじ付き通路１５２と位置合わせされる。ねじ付きメカニカルファスナ１６６は、次に、ねじ穴１６４、開口１５０、通路１５２、およびねじ穴１６２と螺合して、結果として生じるアセンブリが、カバーの外周部分１２６を、容器の、上部の半径方向外方に延びるフランジ１１６と圧縮係合し、それらの間のシールを行う。このような圧縮係合のシール作用を助けるために、ガスケット、シールリング等を、カバーの外周部分１２６と容器の上部の半径方向外方に延びるフランジ１１６との間に配置することができる。
【００７３】
このような目的のためのねじ付きメカニカルファスナ１６６には、ねじ穴１６４、開口１５０、通路１５２、およびねじ穴１６２を介したねじ付きメカニカルファスナの回転駆動のための特別な工具を必要とする不正開放防止用頭部が設けられている。図６の実施形態は、単一の不正開放防止特徴部、すなわち螺合可能なＣ形のクランプアセンブリのみを使用するものとして示されているが、他の実施形態では、このようなクランプアセンブリが、フランジおよびカバー構成部品の周囲に沿って、複数設けられて、容器およびカバーが不正開放防止用クランプアセンブリで、円周方向に完全に固定されるようにすることができることが理解されよう。
【００７４】
図示されているような、カバーおよび容器フランジを通る通路１５２との螺合の代わりに、シーリングブラケットは、カバーと容器フランジとを、それらの周縁領域において係合させるように構成することができることも理解されよう。このとき、シーリングブラケットのそれぞれのフランジに形成されたねじ付き開口１６２、１６４が、フランジ１１６およびカバーの外周部分１２６から半径方向にずれた状態であり、それによってねじ付きメカニカルファスナ１６６自体がフランジ１１６およびカバーの外周部分１２６と接触しない。
【００７５】
シーリングブラケット１６０を、対となったフランジ１１６およびカバーの外周部分１２６上に圧着された単一部材とする代わりに、シーリングブラケットを、互いに対して垂直方向に摺動可能に係合する上側部分と下側部分とで形成することもできることもさらに理解されよう。それによって、ねじ付きメカニカルファスナは、シーリングブラケットの、垂直方向に摺動可能に係合する上側部分と下側部分を互いに向かって引っ張るのに効果的であり、それによって、不正開放防止特徴部を形成すると同時に、カバーおよび容器フランジに及ぼす圧縮作用を増大させて、シール作用を発揮する。このような２部品シーリングブラケットは、フランジおよびカバーの周辺部分に形成された開口と係合するメカニカルファスナと共に使用されてもよく、あるいは、２部品シーリングブラケットは、ねじ付きメカニカルファスナが、カバーおよび容器フランジの垂直外縁から半径方向外方にずれるように配置されてもよい。
【００７６】
シール機能に加えて、シールアセンブリが配置される化学薬品パッケージに不正開放防止機能を同時に付与する、シールアセンブリの他の形態も使用できることも理解されよう。
【００７７】
最後に、前述の説明から、本開示の不正開放防止用特徴部は、パッケージ、例えば化学薬品パッケージの内容物が死傷を伴う可能性のある有毒な、または有害な化学薬品の場合に、内容物をパッケージの周囲環境に曝す可能性がある、不注意または偶発的な開口から、内容物を保護するために効果的に利用できることが理解されよう。
【００７８】
本開示は、特定の態様、特徴および例示的な実施形態を参照して本明細書に記載されているが、本開示の有用性は、このように限定されるものではなく、本明細書の記載に基づいて、本開示の分野の当業者に示唆されるであろう、多くの他の変形形態、修正形態および代替実施形態に及ぶ。これに対応して、以下に請求される開示は、その精神および範囲内でそのような変形形態、修正形態および代替の実施形態の全てを含むものとして広く解釈され、理解されることを意図する。
【図１】
2019513646.tif 000003
【図２】
2019513646.tif 000004
【図３】
2019513646.tif 000005
【図４】
2019513646.tif 000006
【図５】
2019513646.tif 000007
【図６】
2019513646.tif 000008
【手続補正書】
【提出日】平成30年12月14日(2018.12.14)
【手続補正１】
【補正対象書類名】特許請求の範囲
【補正対象項目名】全文
【補正方法】変更
【補正の内容】
【特許請求の範囲】
【請求項１】
容器と、
前記容器の部分と係合するように構成されたカバーであって、前記容器および前記カバーが、囲まれた空間を形成する、カバーと、
前記カバーを、前記カバーと係合する前記容器の前記部分と相互接続するように構成されたメカニカルファスナのアレイとを備える不正開放防止収容パッケージであって、
前記アレイが、
係合された前記容器および前記カバーを全体的にシールするシールメカニカルファスナを備える、前記メカニカルファスナの第１サブアレイと、
前記カバーを、前記カバーと係合する前記容器の前記部分と相互接続する不正開放防止用メカニカルファスナを備える、前記メカニカルファスナの第２サブアレイとを含み、前記不正開放防止用メカニカルファスナが、（ｉ）前記メカニカルファスナの前記第１サブアレイが無ければ、前記係合された容器および前記カバーを全体的にシールせず、（ｉｉ）不正開放防止特徴によって、前記係合された容器および前記カバーから前記カバーが不正に取り外される場合を除き、前記カバーが前記容器から外されることを防止する、不正開放防止収容パッケージ。
【請求項２】
前記メカニカルファスナの前記第２サブアレイが備える前記不正開放防止用メカニカルファスナが、（ｉ）前記メカニカルファスナの前記第１サブアレイの前記シールメカニカルファスナよりもサイズが小さいこと、（ｉｉ）前記シールメカニカルファスナを取り外すように適合されたメカニカルファスナ工具による取り外しが不能であること、（ｉｉｉ）前記メカニカルファスナの前記第１サブアレイの前記シールメカニカルファスナが上方に突出する表面の下方に、カバー内に沈んでいること、および（ｉｖ）前記メカニカルファスナの前記第１サブアレイの前記シールメカニカルファスナのロックトルクの１０〜６０％であるロックトルクによって特徴付けられることのうち、少なくとも１つを満たす、請求項１に記載の不正開放防止収容パッケージ。
【請求項３】
前記係合された容器および前記カバーの中間に、少なくとも１つのシール要素をさらに備える、請求項１に記載の不正開放防止収容パッケージ。
【請求項４】
前記メカニカルファスナの前記第２サブアレイが、前記シールメカニカルファスナを取り外すように適合されたメカニカルファスナ工具による取り外しが不能である不正開放防止用メカニカルファスナを備える、請求項１に記載の不正開放防止収容パッケージ。
【請求項５】
前記メカニカルファスナの前記第２サブアレイが、前記メカニカルファスナの前記第１サブアレイの前記シールメカニカルファスナのロックトルクの１０〜６０％であるロックトルクによって特徴付けられる不正開放防止用メカニカルファスナを備える、請求項１に記載の不正開放防止収容パッケージ。
【請求項６】
不正開放防止収容パッケージであって、
容器と、
前記容器と係合するように構成されたカバーであって、前記容器および前記カバーが、囲まれた空間を形成する、カバーと、
前記カバーおよび前記容器と協働する少なくとも１つの不正開放防止用メカニカルファスナであって、前記容器および前記カバーが、前記囲まれた空間を前記不正開放防止収容パッケージの周囲環境から隔離する密閉状態で係合したときに前記収容パッケージに不正開放防止機能を与える不正開放防止用メカニカルファスナとを備える、不正開放防止収容パッケージ。
【請求項７】
前記少なくとも１つの不正開放防止用メカニカルファスナの各々がシーリングブラケットと係合して、前記シーリングブラケットが、前記容器および前記カバーを前記密閉状態にシールするために、前記容器および前記カバーを圧縮するようにし、前記密閉状態においては、前記囲まれた空間が周囲環境から隔離される、請求項６に記載の不正開放防止収容パッケージ。
【請求項８】
前記少なくとも１つの不正開放防止用メカニカルファスナの各々が、前記カバーおよび前記容器と螺合している、請求項６に記載の不正開放防止収容パッケージ。
【請求項９】
容器と、
化学薬品容器の部分と係合するように構成されたカバーであって、前記容器および前記カバーが、囲まれた空間を形成する、カバーと、
係合された前記容器および前記カバーの中間にある、少なくとも１つのシール要素と、
前記カバーを、前記カバーと係合する前記容器の前記部分と相互接続するように構成されたメカニカルファスナのアレイとを備える不正開放防止パッケージであって、
前記アレイが、
前記係合された容器および前記カバーを、前記少なくとも１つのシール要素と共に、漏れを防止するように全体的にシールするシールメカニカルファスナを備える、前記メカニカルファスナの第１サブアレイと、
前記カバーを、前記カバーと係合する前記容器の前記部分と相互接続する不正開放防止用メカニカルファスナを備える、前記メカニカルファスナの第２サブアレイとを含み、前記不正開放防止用メカニカルファスナが、（ｉ）前記メカニカルファスナの前記第１サブアレイが無ければ、前記係合された容器および前記カバーを、漏れを防止するように全体的にシールせず、（ｉｉ）不正開放防止特徴によって、前記係合された容器および前記カバーから、前記カバーが不正に取り外される場合を除き、前記カバーが前記容器から外されることを防止する、不正開放防止パッケージ。
【請求項１０】
前記カバーに係合する前記容器の前記部分が、前記カバーの周辺部分のための係合表面を提供する外方に延びるフランジを備える、請求項９に記載の不正開放防止パッケージ。
【国際調査報告】
2019513646.tif 000009
2019513646.tif 000010
2019513646.tif 000011